(57)【要約】【課題】端子箱についている配線口の方向を配線に応じて変更できる構成にすることで配線作業がし易くなる端子箱を提供する。【解決手段】端子箱は、外部からの電気線を引き込むための配線口を一部に備えた本体ケースと、前記本体ケースの内部に設置され、前記配線口から引き込んだ電気線を電気的に接続する端子金具を備えた配線端子台とからなる端子箱であって、前記本体ケースの一部に備えた配線口は、前記本体ケースと別体の端子箱ケースに備えると共に、前記端子箱ケースは前記本体ケースに円筒嵌め合い構造で嵌合させたことである。【選択図】図１
2007200744.tif 000002
【特許請求の範囲】
【請求項１】
外部からの電気線を引き込むための配線口を一部に備えた本体ケースと、
前記本体ケースの内部に設置され、前記配線口から引き込んだ電気線を電気的に接続する端子金具を備えた配線端子台とからなる端子箱であって、
前記本体ケースの一部に備えた配線口は、前記本体ケースと別体の端子箱ケースに備えると共に、前記端子箱ケースは前記本体ケースに円筒嵌め合い構造で嵌合させたことを特徴とする端子箱。
【請求項２】
前記端子箱ケースは前記本体ケースに円筒嵌め合い構造で嵌合させたときに、その状態を係止固定する係止手段を備えたことを特徴とする請求項１に記載の端子箱。
【請求項３】
前記端子箱ケースに、カバーを取り付けたことを特徴とする請求項１に記載の端子箱。
【発明の詳細な説明】
【技術分野】
【０００１】
本発明は、端子箱に関し、詳しくは現場発信器における端子箱結線配線口をフリーアングル構造にした端子箱に関する。
【背景技術】
【０００２】
従来技術における端子箱は、図３及び図４に示すように、配線端子台１１１を配置するための基部１１２を境にして端子室１１３とアンプ室１１４を形成する本体ケース１１５と、端子室１１３の開口部を塞ぐ端子側カバー１１８、端子室１１３の開口部に対して直交する方向の側壁面に設けた配線口１２３と、アンプ室１１４の開口部を塞ぐアンプ側カバー１１７と、端子室１１３の内部には配線口１２３から引き込んだ電気線を電気的に接続する複数の端子金具１１９を備えた配線端子台１１１とから構成されている。
【０００３】
このような構成からなる端子箱において、端子室１１３には配線口１２３から電気線を引き込んで、端子金具１１９に電気線を結線させた後に端子側カバー１１８を被せる。
【０００４】
又、アンプ室１１４においてはアンプボードを所定位置に配置し、アンプ側カバー１１７を被せることで端子箱の作業は終了する。
【０００５】
【特許文献１】特開２００５−１４８０２３号公報（第５頁〜第６頁  第１図）
【発明の開示】
【発明が解決しようとする課題】
【０００６】
しかし、従来技術で説明した、端子箱において、本体ケースを設置の際に固定されてしまうと本体ケースの側壁面に設けてある配線口も一方向に固定されているため、配線口の方向が一方向に限定されてしまう。このため、別アングルに配線があった場合に配線作業がやりづらいという問題があった。
【０００７】
従って、現場発信器のような端子箱の配線方向による配線作業性の問題を回避することに解決しなければならない課題を有する。
【課題を解決するための手段】
【０００８】
上記課題を解決するために、本願発明の端子箱は、次に示す構成にしたことである。
【０００９】
（１）端子箱は、外部からの電気線を引き込むための配線口を一部に備えた本体ケースと、前記本体ケースの内部に設置され、前記配線口から引き込んだ電気線を電気的に接続する端子金具を備えた配線端子台とからなる端子箱であって、前記本体ケースの一部に備えた配線口は、前記本体ケースと別体の端子箱ケースに備えると共に、前記端子箱ケースは前記本体ケースに円筒嵌め合い構造で嵌合させたことである。
（２）前記端子箱ケースは前記本体ケースに円筒嵌め合い構造で嵌合させたときに、その状態を係止固定する係止手段を備えたことを特徴とする（１）に記載の端子箱。
（３）前記端子箱ケースに、カバーを取り付けたことを特徴とする（１）に記載の端子箱。
【発明の効果】
【００１０】
本提案によれば、本体ケースと別体の端子箱ケースに配線口を設け、その端子箱ケースは本体ケースと円筒嵌め合い構造で嵌合させた構成にしたことにより、端子箱ケースを回転させることで配線口の方向を自由に変更できるため、一方向以外の結線作業が可能となり、且つ多方向の配線作業が対応可能になるという効果がある。
【発明を実施するための最良の形態】
【００１１】
次に、本願発明に係る端子箱の実施形態について、図面を参照して以下説明ずる。
【実施例１】
【００１２】
本願発明の端子箱は、図１及び図２に示すように、配線類を通すための配線口を自由に変更可能な構造にしたことに特徴があり、その構成は、配線端子台１１を配置するための基部１２を境にして端子室１３の一部とアンプ室１４を形成する本体ケース１５と、本体ケース１５の開口部と円筒嵌め合い構造で嵌合する筒体に形成された端子箱ケース１６と、端子箱ケース１６の開口面に対して直交する方向の側壁面に設けた配線口２３と、アンプ室１４の開口部を塞ぐアンプ側カバー１７と、端子箱ケース１６の開口部を塞ぐ端子側カバー１８と、端子箱ケース１６と本体ケース１５で形成された内部には配線口２３から引き込んだ電気線を電気的に接続する複数の端子金具１９を備えた配線端子台１１とから構成されている。
【００１３】
円筒嵌め合い構造の本体ケース１６の端部と端子箱ケース１６の端部は、端子箱ケース１６側の端部が縮径に形成された円筒端部２０を本体ケース１５側の円筒端部２１に係合させるようにして嵌合させる。そして、嵌合させた状態或は嵌合させる前に配線口２３の方向を決定させておくことにより、端子箱ケース１６の３６０度の回転可能な状態を決める。そして固定用押しネジ２２を差し込むことで係止固定する。
【００１４】
このような構成の端子箱においては、端子箱ケース１６を本体ケース１５に嵌合させる際に端子箱ケース１６を回転させることで、配線口２３を自由な方向に決定することができる。そのため、本体ケース１５を固定した場合でも端子箱ケース１６を回転させることで配線口２３を所望の方向に決定することができ、別アングルに配線があった場合にも配線作業がやりづらいという問題を解決することができる。
【産業上の利用可能性】
【００１５】
本体ケースと別体の端子箱ケースに配線口を設け、その端子箱ケースは本体ケースと円筒嵌め合い構造で嵌合させた構成にすることで、端子箱ケースを回転させることにより配線口の方向を自由に変更できるようにして、一方向以外の結線作業を可能とした端子箱を提供する。
【図面の簡単な説明】
【００１６】
【図１】本願発明の端子箱を略示的に示した平面図である。
【図２】同、カバーを外して端子室の様子を示した平面図である。
【図３】従来技術における端子箱を略示的に示した平面図である。
【図４】同、カバーを外して端子室の様子を示した平面図である。
【符号の説明】
【００１７】
１１      配線端子台
１２      基部
１３      端子室
１４      アンプ室
１５      本体ケース
１６      端子箱ケース
１７      アンプ側カバー
１８      端子側カバー
１９      端子金具
２０      円筒端部
２１      円筒端部
２２      固定用押しネジ
２３      配線口。
【図１】
2007200744.tif 000003
【図２】
2007200744.tif 000004
【図３】
2007200744.tif 000005
【図４】
2007200744.tif 000006